(57)【要約】【課題】  録画装置の録画可能容量や録画済みの番組の重要度を考慮して遠隔地から録画スケジュールを設定できる録画予約方法および録画予約システムを提供すること。【解決手段】  個人用録画装置２に遠隔操作で録画スケジュールを登録する際に、個人用端末３からインターネット７を経由して個人用録画装置２にデータ送信要求信号を送信し、個人用録画装置２からインターネット７経由で個人用録画装置２の録画可能容量と録画履歴を抽出し、これらのデータを個人用端末３の表示手段１２に表示させる。ユーザは、この表示を参照して個人用録画装置２の録画可能容量を確認したり、既に録画されている番組の重要度に基いて個人用録画装置２に対するデータの上書きの可否を判断したりすることができる。【選択図】図１
2005117245.tif 000002
【特許請求の範囲】
【請求項１】
個人用端末で設定された番組予約データをインターネットを経由して遠隔地の個人用録画装置に送信することによって前記個人用録画装置に録画スケジュールを登録する録画予約方法において、
前記個人用録画装置に録画スケジュールを登録する際に、前記個人用端末から前記インターネットを経由して前記個人用録画装置にデータ送信要求信号を送信し、このデータ送信要求信号を受けた前記個人用録画装置が、前記インターネットを経由して該個人用録画装置の録画可能容量と録画履歴とを前記個人用端末に送信し、前記個人用端末が該個人用端末の表示手段に前記録画可能容量および録画履歴を表示してから、番組予約データの送信を許容するようにしたことを特徴とする録画予約方法。
【請求項２】
個人用端末で設定された番組予約データをインターネットを経由して遠隔地の録画装置に送信することによって前記録画装置に録画スケジュールを登録する録画予約方法において、
予め個人用録画装置と共用録画装置とを前記インターネットに接続して配備しておき、
録画スケジュールを登録する際に、前記個人用端末から前記インターネットを経由して前記個人用録画装置にデータ送信要求信号を送信し、このデータ送信要求信号を受けた前記個人用録画装置が、前記インターネットを経由して該個人用録画装置の録画可能容量と録画履歴とを前記個人用端末に送信し、前記個人用端末が該個人用端末の表示手段に前記録画可能容量および録画履歴を表示してから、前記個人用録画装置と前記共用録画装置の内の何れか一方を録画スケジュールの登録先として指定する選択指令が個人用端末に入力された段階で、該登録先に対する番組予約データの送信を許容すると共に、
前記個人用録画装置から前記インターネットを経由して前記共用録画装置にダウンロード要求信号が入力された場合には、前記共用録画装置に録画されている録画内容を前記インターネットを経由して前記共用録画装置から前記個人用録画装置にダウンロードするようにしたことを特徴とする録画予約方法。
【請求項３】
前記個人用録画装置の録画履歴に番組放送局名と番組放送時刻とを含めると共に、少なくとも、番組放送局名と番組放送時刻と番組名との対応関係を記憶したデータベースを備えたデータベースサーバを前記インターネット上に配備し、
前記インターネットを経由して前記個人用録画装置の録画履歴が前記個人用端末に送信される際に、前記データベースサーバが前記データベースを参照して前記録画履歴に対応する番組名を特定し、この番組名を含む情報を前記個人用端末に送信するようにしたことを特徴とする請求項１または請求項２記載の録画予約方法。
【請求項４】
個人用端末で設定された番組予約データをインターネットを経由して遠隔地の個人用録画装置に送信することによって前記個人用録画装置に録画スケジュールを登録する録画予約システムにおいて、
前記個人用端末には、番組予約データの設定操作の開始を検知する設定操作検知手段と、前記設定操作検知手段の検知動作に応動して前記インターネットを経由して前記個人用録画装置にデータ送信要求信号を送信するデータ送信要求信号送信手段と、前記個人用録画装置から送信された録画可能容量および録画履歴を表示するための表示手段と、前記表示手段に前記録画可能容量および前記録画履歴が表示されるまでの間この個人用端末からの番組予約データの送信を禁止する登録操作禁止手段とが設けられ、
前記個人用録画装置には、該個人用録画装置の録画履歴を記憶するための記憶手段と、前記データ送信要求信号を受けて該個人用録画装置の録画可能容量と前記記憶手段に記憶されている録画履歴とを前記インターネットを経由して前記個人用端末に送信するデータ送信手段とが設けられていることを特徴とする録画予約システム。
【請求項５】
個人用端末で設定された番組予約データをインターネットを経由して遠隔地の録画装置に送信することによって前記録画装置に録画スケジュールを登録する録画予約システムにおいて、
個人用録画装置と共用録画装置とが前記インターネットに接続して配備されると共に、
前記個人用端末には、番組予約データの設定操作の開始を検知する設定操作検知手段と、前記設定操作検知手段の検知動作に応動して前記インターネットを経由して前記個人用録画装置にデータ送信要求信号を送信するデータ送信要求信号送信手段と、前記個人用録画装置から送信された録画可能容量および録画履歴を表示するための表示手段と、前記個人用録画装置と前記共用録画装置の内の何れか一方から録画スケジュールの登録先を選択する登録先選択手段と、前記表示手段による前記録画可能容量および前記録画履歴の表示と前記登録先選択手段による選択操作の完了を待って前記登録先選択手段で選択された登録先に番組予約データを送信する登録実行手段とが設けられ、
前記個人用録画装置には、該個人用録画装置の録画履歴を記憶するための記憶手段と、前記データ送信要求信号を受けて該個人用録画装置の録画可能容量と前記記憶手段に記憶されている録画履歴とを前記インターネットを経由して前記個人用端末に送信するデータ送信手段と、前記インターネットを介して前記共用録画装置にダウンロード要求信号を送信するダウンロード要求信号送信手段とが設けられ、
前記共用録画装置には、前記個人用録画装置から前記インターネットを経由して入力されるダウンロード要求信号を検知して該共用録画装置に録画されている録画内容を前記インターネットを経由して前記個人用録画装置にダウンロードする録画内容送信手段とが設けられていることを特徴とする録画予約システム。
【請求項６】
番組放送局名と番組放送時刻とを含む録画履歴を記憶するように前記記憶手段を構成すると共に、少なくとも、番組放送局名と番組放送時刻と番組名との対応関係を記憶したデータベースを備えたデータベースサーバを前記インターネット上に配備し、
前記データベースサーバには、前記インターネットを経由して前記個人用録画装置の録画履歴が前記個人用端末に送信される際に、前記データベースを参照して前記録画履歴に対応する番組名を特定し、この番組名を含む情報を前記個人用端末に送信する関連情報送信手段を設けたことを特徴とする請求項４または請求項５記載の録画予約システム。
【請求項７】
前記個人用端末が前記インターネットに接続可能な携帯電話によって構成されていることを特徴とする請求項４，請求項５または請求項６の何れか一項に記載の録画予約システム。
【発明の詳細な説明】
【技術分野】
【０００１】
本発明は、遠隔地にある録画装置に録画スケジュールを登録する録画予約方法および録画予約システムの改良に関する。
【背景技術】
【０００２】
個人用端末やインターネットを利用して遠隔地にある録画装置に録画スケジュールを登録するようにした録画予約方法および録画予約システムが例えば特許文献１等として既に公知である。
【０００３】
また、録画設定番組の時間変更や時間延長等のデータを集中管理し、管理サーバからの変更操作によっ録画装置の録画スケジュールを自動的に変更するようにしたものが特許文献２および特許文献３等として提案されている。
【０００４】
しかし、これらの技術は、何れも、録画スケジュールとして登録された番組の全てを其のまま録画装置に録画できることを前提としたものであり、録画装置の録画可能容量が不十分であった場合には、新たな録画スケジュールの実行によって録画装置のデータ記憶媒体にデータの上書きが行われて以前に録画されていた重要な番組のデータが喪失するといった不都合が生じる恐れがある。
【０００５】
従って、新たに録画スケジュールを登録する際には、録画装置の録画可能容量を確認したり、既に録画されている番組の重要度に基いてデータの上書きの可否を判断したりする必要がある。
【０００６】
このような処理は、ユーザが自宅にいる場合には容易であるが、個人用端末を利用して遠隔地から自宅の録画装置に録画スケジュールを設定するような場合には、録画装置の録画可能容量や録画済みの番組の内容を確認することは困難であり、録画可能容量や録画済みの番組の重要度を考慮して録画スケジュールを設定することができないといった問題があった。
【０００７】
【特許文献１】特開２００２−３３９８５号（図３）
【特許文献２】特開２００２−３４４８６８号（図２）
【特許文献３】特開２００３−９０４７号（図３）
【発明の開示】
【発明が解決しようとする課題】
【０００８】
そこで、本発明の課題は、前記従来技術の不都合を解消し、録画装置の録画可能容量や録画済みの番組の重要度を考慮して遠隔地から録画スケジュールを設定することのできる録画予約方法および録画予約システムを提供することにある。
【課題を解決するための手段】
【０００９】
本発明の録画予約方法は、個人用端末で設定された番組予約データをインターネットを経由して遠隔地の個人用録画装置に送信することによって個人用録画装置に録画スケジュールを登録する録画予約方法であり、前記課題を解決するため、特に、
個人用録画装置に録画スケジュールを登録する際に、個人用端末からインターネットを経由して個人用録画装置にデータ送信要求信号を送信し、このデータ送信要求信号を受けた個人用録画装置が、インターネットを経由して該個人用録画装置の録画可能容量と録画履歴とを個人用端末に送信し、この個人用端末が該個人用端末の表示手段に前記録画可能容量および録画履歴を表示してから、番組予約データの送信を許容するようにしたことを特徴とする構成を有する。
【００１０】
番組予約データの送信の前処理として個人用端末の表示手段に個人用録画装置の録画可能容量および録画履歴が表示されるので、ユーザは、この表示を参照して個人用録画装置の録画可能容量を確認したり、既に録画されている番組の重要度に基いて個人用録画装置に対するデータの上書きの可否を判断したりすることができる。
【００１１】
更に、個人用録画装置の録画可能容量が不十分な場合においても所望する番組の録画を可能とするために、
予め個人用録画装置と共用録画装置とをインターネットに接続して配備しておき、
録画スケジュールを登録する際に、個人用端末からインターネットを経由して個人用録画装置にデータ送信要求信号を送信し、このデータ送信要求信号を受けた個人用録画装置が、インターネットを経由して該個人用録画装置の録画可能容量と録画履歴とを個人用端末に送信し、この個人用端末が該個人用端末の表示手段に前記録画可能容量および録画履歴を表示してから、前記個人用録画装置と前記共用録画装置の内の何れか一方を録画スケジュールの登録先として指定する選択指令が個人用端末に入力された段階で、該登録先に対する番組予約データの送信を許容すると共に、
個人用録画装置からインターネットを経由して共用録画装置にダウンロード要求信号が入力された場合には、前記共用録画装置に録画されている録画内容をインターネットを経由して共用録画装置から個人用録画装置にダウンロードするといった構成を適用してもよい。
【００１２】
前記と同様、番組予約データの送信の前処理として個人用端末の表示手段に個人用録画装置の録画可能容量および録画履歴が表示されるので、ユーザは、この表示を参照して個人用録画装置の録画可能容量を確認したり、既に録画されている番組の重要度に基いて個人用録画装置に対するデータの上書きの可否を判断したりすることができる。
しかも、個人用端末に選択指令を入力することにより個人用録画装置と共用録画装置の内の何れか一方を録画スケジュールの登録先として指定することができるので、個人用録画装置の録画可能容量が不足している場合、あるいは、個人用録画装置に既に録画されている番組を其のまま残したいような場合には、共用録画装置に所望する番組の録画スケジュールを登録して番組を録画させ、この番組を後で共用録画装置から個人用録画装置にダウンロードして再生することができる。
【００１３】
また、個人用録画装置に既に録画されている番組の内容を的確に把握できるようにするために、
前記個人用録画装置の録画履歴に番組放送局名と番組放送時刻とを含めると共に、少なくとも、番組放送局名と番組放送時刻と番組名との対応関係を記憶したデータベースを備えたデータベースサーバをインターネット上に配備し、
前記インターネットを経由して個人用録画装置の録画履歴が個人用端末に送信される際に、データベースサーバが前記データベースを参照して録画履歴に対応する番組名を特定し、この番組名を含む情報を個人用端末に送信するようにしてもよい。
【００１４】
録画スケジュールの登録に最低限必要とされる情報、つまり、録画すべき番組を特定するために必要とされる情報としては、番組放送局名と番組放送時刻とがある。従って、これらの情報を個人用録画装置に録画履歴として保存することは極めて容易である。しかしながら、番組放送局名や番組放送時刻が特定されてもユーザが此れに対応する番組内容を把握するのは必ずしも容易ではない。そこで、インターネット上のデータベースサーバがデータベースを参照して番組放送局名と番組放送時刻との関係から番組名を特定してユーザの個人用端末に送信することにより、個人用録画装置に既に録画されている番組の内容を容易に把握できるようにした。
【００１５】
本発明の録画予約システムは、個人用端末で設定された番組予約データをインターネットを経由して遠隔地の個人用録画装置に送信することによって個人用録画装置に録画スケジュールを登録する録画予約システムであり、前記課題を解決するため、特に、
前記個人用端末には、番組予約データの設定操作の開始を検知する設定操作検知手段と、設定操作検知手段の検知動作に応動して前記インターネットを経由して個人用録画装置にデータ送信要求信号を送信するデータ送信要求信号送信手段と、前記個人用録画装置から送信された録画可能容量および録画履歴を表示するための表示手段と、前記表示手段に録画可能容量および録画履歴が表示されるまでの間この個人用端末からの番組予約データの送信を禁止する登録操作禁止手段とが設けられ、
前記個人用録画装置には、該個人用録画装置の録画履歴を記憶するための記憶手段と、前記データ送信要求信号を受けて該個人用録画装置の録画可能容量と前記記憶手段に記憶されている録画履歴とを前記インターネットを経由して前記個人用端末に送信するデータ送信手段とが設けられていることを特徴とする構成を有する。
【００１６】
以上の構成において、ユーザが個人用端末に対して番組予約データの設定操作を開始すると、個人用端末の設定操作検知手段が此れを検知してデータ送信要求信号送信手段を作動させ、このデータ送信要求信号送信手段が、インターネットを経由して個人用録画装置にデータ送信要求信号を送信する。
すると、インターネットを経由してデータ送信要求信号を受けた個人用録画装置がデータ送信手段を作動させ、個人用録画装置の記憶手段に記憶されている録画履歴と該個人用録画装置の録画可能容量とをインターネットを経由して個人用端末に送信し、これを受信した個人用端末が、個人用録画装置の録画可能容量および録画履歴を表示手段に表示する。
ユーザは、録画可能容量および録画履歴の表示を確認し、更には、既に録画されている番組の重要度に基いて、個人用録画装置に対するデータの上書きの可否等を判断する。
個人用端末における録画可能容量および録画履歴の表示が完了すると、登録操作禁止手段による制限が解除され、個人用端末からの番組予約データの送信が許容され得る状態となる。
ユーザは、前述の判断に基き、個人用録画装置の録画可能容量が十分である場合、あるいは、個人用録画装置に既に録画されている番組を消去して上書きによって新たな番組を録画しても構わないといった状況下においては、この個人用端末を操作して、新たに設定された番組予約データをインターネットを経由して個人用録画装置に送信し、個人用録画装置に録画スケジュールを登録して録画を実行させる。また、個人用録画装置の録画可能容量が不十分である場合、あるいは、個人用録画装置に既に録画されている番組を消去したくないといった状況下においては、ユーザは、新たに設定された番組予約データをインターネットを経由して個人用録画装置に送信する操作をキャンセルし、新たな録画スケジュールの登録を取り止める。
このように、番組予約データの送信の前処理として個人用端末の表示手段に個人用録画装置の録画可能容量および録画履歴が表示されるので、ユーザは、この表示を参照して個人用録画装置の録画可能容量を確認したり、既に録画されている番組の重要度に基いて個人用録画装置に対するデータの上書きの可否を判断したりすることができる。
【００１７】
更に、個人用録画装置の録画可能容量が不十分な場合においても所望する番組の録画を可能とするために、
個人用録画装置と共用録画装置とをインターネットに接続して配備し、
前記個人用端末には、番組予約データの設定操作の開始を検知する設定操作検知手段と、設定操作検知手段の検知動作に応動して前記インターネットを経由して個人用録画装置にデータ送信要求信号を送信するデータ送信要求信号送信手段と、前記個人用録画装置から送信された録画可能容量および録画履歴を表示するための表示手段と、前記個人用録画装置と前記共用録画装置の内の何れか一方から録画スケジュールの登録先を選択する登録先選択手段と、前記表示手段による録画可能容量および録画履歴の表示と前記登録先選択手段による選択操作の完了を待って前記登録先選択手段で選択された登録先に番組予約データを送信する登録実行手段とが設けられ、
前記個人用録画装置には、該個人用録画装置の録画履歴を記憶するための記憶手段と、前記データ送信要求信号を受けて該個人用録画装置の録画可能容量と前記記憶手段に記憶されている録画履歴とをインターネットを経由して前記個人用端末に送信するデータ送信手段と、前記インターネットを介して前記共用録画装置にダウンロード要求信号を送信するダウンロード要求信号送信手段とが設けられ、
前記共用録画装置には、前記個人用録画装置からインターネットを経由して入力されるダウンロード要求信号を検知して該共用録画装置に録画されている録画内容をインターネットを経由して前記個人用録画装置にダウンロードする録画内容送信手段とが設けられているといった構成を適用してもよい。
【００１８】
前記と同様、ユーザが個人用端末に対して番組予約データの設定操作を開始すると、個人用端末の設定操作検知手段が此れを検知してデータ送信要求信号送信手段を作動させ、このデータ送信要求信号送信手段が、インターネットを経由して個人用録画装置にデータ送信要求信号を送信する。
すると、インターネットを経由してデータ送信要求信号を受けた個人用録画装置が、データ送信手段を作動させ、個人用録画装置の記憶手段に記憶されている録画履歴と該個人用録画装置の録画可能容量とをインターネットを経由して前記個人用端末に送信し、これを受信した個人用端末が、個人用録画装置の録画可能容量および録画履歴を表示手段に表示する。
ユーザは、録画可能容量および録画履歴の表示を確認し、更には、既に個人用録画装置に録画されている番組の重要度に基いて、個人用録画装置に対するデータの上書きの可否、あるいは、個人用録画装置に代えて共用録画装置を使用する等といったことを判断する。
個人用端末における録画可能容量および録画履歴の表示と登録先選択手段による選択操作が完了すると登録実行手段が作動し、個人用端末から録画スケジュールの登録先である個人用録画装置もしくは共用録画装置の内の何れか一方に番組予約データが送信される。
ここで、個人用録画装置に番組予約データが送信された場合には、個人用録画装置に録画スケジュールが登録され、この個人用録画装置が録画スケジュールに従って番組を録画する。また、共用録画装置に番組予約データが送信された場合には、共用録画装置が録画スケジュールに従って番組を録画することになる。
そして、共用録画装置に録画された番組を視聴する場合には、個人用録画装置のダウンロード要求信号送信手段を操作し、インターネットを介して共用録画装置にダウンロード要求信号を送信する。
共用録画装置は、個人用録画装置からインターネットを経由して入力されるダウンロード要求信号を検知して録画内容送信手段を作動させ、この共用録画装置に録画されている録画内容をインターネットを経由して個人用録画装置にダウンロードする。
このように、番組予約データの送信の前処理として個人用端末の表示手段に個人用録画装置の録画可能容量および録画履歴が表示されるので、ユーザは、この表示を参照して個人用録画装置の録画可能容量を確認したり、既に録画されている番組の重要度に基いて個人用録画装置に対するデータの上書きの可否を判断したりすることができる。
しかも、個人用端末に選択指令を入力することにより個人用録画装置と共用録画装置の内の何れか一方を録画スケジュールの登録先として指定することができるので、個人用録画装置の録画可能容量が不足している場合、あるいは、個人用録画装置に既に録画されている番組を其のまま残したいような場合には、共用録画装置に所望する番組の録画スケジュールを登録して番組を録画させ、この番組を後で共用録画装置から個人用録画装置にダウンロードして再生することができる。
【００１９】
また、個人用録画装置に既に録画されている番組の内容を的確に把握できるようにするために、
番組放送局名と番組放送時刻とを含む録画履歴を記憶するように個人用録画装置の記憶手段を構成すると共に、少なくとも、番組放送局名と番組放送時刻と番組名との対応関係を記憶したデータベースを備えたデータベースサーバを前記インターネット上に配備し、
データベースサーバには、インターネットを経由して個人用録画装置の録画履歴が個人用端末に送信される際に、データベースを参照して前記録画履歴に対応する番組名を特定し、この番組名を含む情報を個人用端末に送信する関連情報送信手段を設ける。
【００２０】
このような構成を適用すれば、インターネット上のデータベースサーバに設けられた関連情報送信手段がデータベースを参照して番組放送局名と番組放送時刻との関係から番組名を特定し、この番組名をユーザの個人用端末に自動的に送信するので、ユーザは、個人用録画装置に既に録画されている番組の内容を極めて容易に把握できるようになる。
【００２１】
個人用端末としてはインターネットに接続可能な携帯電話を利用するのが妥当である。
【００２２】
この他にも、ユーザ宅もしくは遠隔地に設置されたパーソナルコンピュータ等を個人用端末として利用することが可能である。
【発明の効果】
【００２３】
本発明の録画予約方法および録画予約システムは、番組予約データの送信の前処理として個人用端末の表示手段に個人用録画装置の録画可能容量および録画履歴を表示するようにしたので、ユーザは、この表示を参照して個人用録画装置の録画可能容量を確認したり、個人用録画装置に既に録画されている番組の重要度に基いて個人用録画装置に対するデータの上書きの可否を判断したりすることができる。従って、重要な録画がデータの上書きによって消失される等の問題を効果的に解消することができる。
【００２４】
更に、個人用録画装置と共用録画装置をインターネットに接続して配備し、個人用端末に選択指令を入力することによって個人用録画装置と共用録画装置の内の何れか一方を録画スケジュールの登録先として指定できるようにしたので、個人用録画装置の録画可能容量が不足している場合、あるいは、個人用録画装置に既に録画されている番組を其のまま残したいような場合には、共用録画装置に所望する番組の録画スケジュールを登録して番組を録画させ、この番組を後で共用録画装置から個人用録画装置にダウンロードして再生することもできる。
【００２５】
また、個人用録画装置の録画履歴に番組放送局名と番組放送時刻とを含めるようにすると共に、少なくとも、番組放送局名と番組放送時刻と番組名との対応関係を記憶したデータベースを備えたデータベースサーバをインターネット上に配備し、個人用録画装置の録画履歴がインターネットを介して個人用端末に送信される際に、データベースサーバがデータベースを参照して録画履歴に対応する番組名を特定し、この番組名を含む情報を個人用端末に送信するようにしているので、録画スケジュールの登録に最低限必要とされる情報のみが録画履歴として保存されるような場合であっても、ユーザは、個人用録画装置に既に録画されている番組の内容を極めて容易に把握することができる。
【００２６】
個人用端末としては、インターネットに接続可能な携帯電話を利用するのが可搬性の点から妥当であるが、様々な場所に設置されているパーソナルコンピュータ等を個人用端末として利用することも可能である。
【発明を実施するための最良の形態】
【００２７】
図１は本発明の録画予約方法を実施する際の録画予約システムの一例を示した概念図である。
【００２８】
録画予約システム１は、実質的に、ユーザの所有となるＤＶＤレコーダあるいはビデオデッキ等の個人用録画装置２と、ユーザの携帯電話等によって構成される個人用端末３、および、データ配信の事業主等の所有となるＤＶＤレコーダあるいはビデオデッキ等の共用録画装置４と、データベース５を備えたデータベースサーバ６、ならびに、インターネット７によって構成される。
【００２９】
データ配信の事業主等の所有となるウェブサーバ８は、共用録画装置４やデータベースサーバ６とインターネット７との間の情報伝達を円滑化するためのもので、構成上の必須要件ではない。
【００３０】
携帯電話等に代えてユーザ宅あるいは他の遠隔地等に設置されたパーソナルコンピュータ９を個人用端末３として利用することも可能であるが、可搬性および利便性の点からは携帯電話等によって構成される個人用端末３の使用が望ましい。
【００３１】
個人用録画装置２はユーザ宅に設置されてインターネット７に接続され、共用録画装置４およびデータベースサーバ６はウェブサーバ８を介してインターネット７に接続されている。また、携帯電話等によって構成される個人用端末３は、最寄の基地局を経由してインターネット７に接続することが可能である。
【００３２】
個人用録画装置２および共用録画装置４には、インターネット７を経由して入力された番組予約データを自らの記憶手段である不揮発性メモリに録画スケジュールとして登録し、この録画スケジュールに基いて録画を実行する公知の録画予約機能が搭載されている。録画スケジュールの実行には、最低限、番組放送局名と番組放送時刻の特定が必要であり、これらの情報は、個人用録画装置２に対する番組予約データの入力時に個人用録画装置２の不揮発性メモリに録画履歴として保存され、また、番組予約のキャンセルや録画データの消去に伴って自動的に削除される。
【００３３】
データベースサーバ６のデータベース５には、芸能プロダクション１０ａの端末からインターネット７，ウェブサーバ８を介して入力される人物情報１１ａと、番組放送局１０ｂの端末からインターネット７，ウェブサーバ８を介して入力される番組情報１１ｂとが逐次更新して記憶されるようになっている。番組放送局１０ｂは、放送する番組の番組名や番組放送時刻等に変更が生じた場合には、遅滞なく番組情報１１ｂを更新してアップロードするものとする。番組ＩＤや番組名の情報は人物情報１１ａと番組情報１１ｂに重複して記憶されているので、これらのパラメータを利用して人物情報１１ａと番組情報１１ｂとを相互に参照することが可能である。
【００３４】
人物情報１１ａや番組情報１１ｂとして記憶させる情報に格別の制限はないが、少なくとも、番組放送局名と番組放送時刻と番組名との対応関係が番組情報１１ｂによって明確にされている必要がある。
【００３５】
この録画予約システム１を利用して行われる録画予約方法の概略について簡単に説明する。
【００３６】
まず、ユーザが個人用端末３に対して番組予約データの設定操作を開始すると、個人用端末３の設定操作検知手段が此れを検知して該個人用端末３のデータ送信要求信号送信手段を作動させ、このデータ送信要求信号送信手段が、インターネット７を経由して個人用録画装置２にデータ送信要求信号を送信する。
【００３７】
すると、インターネット７を経由してデータ送信要求信号を受けた個人用録画装置２が、該個人用録画装置２のデータ送信手段を作動させ、この時点で個人用録画装置２の不揮発性メモリに記憶されている録画履歴と該個人用録画装置２の録画可能容量とをインターネット７を経由してウェブサーバ８に送信する。複数の録画履歴が存在する場合もあり、各々の録画履歴には、最低限、番組放送局名と番組放送時刻が含まれている。また、ここでいう録画可能容量とは、個人用録画装置２に実装されているデータ記憶媒体の記憶領域のうち現時点で録画データが記憶されていない未記憶領域のことであり、メガバイト，ギガバイト等のデータ記憶容量あるいは録画可能時間等として表され、その値は録画の実行あるいは録画済のデータの消去等に応じて逐次自動的に更新されるようになっている。
【００３８】
この実施形態において個人用録画装置２からウェブサーバ８に録画履歴を送信するようにしているのは、データベースサーバ６を利用して番組放送局名や番組放送時刻のデータからなる録画履歴をユーザの理解し易い番組名に変換するためであり、実質的には、録画履歴と番組名とは同値である。録画履歴に代わる番組名はウェブサーバ８を介して最終的には個人用端末３に送信されることになるから、この構造は、「録画履歴と個人用録画装置の録画可能容量を個人用録画装置のデータ送信手段からインターネットを経由して個人用端末に送信する」とした特許請求の範囲の記載に矛盾するものではない。
【００３９】
次いで、これらの情報を受信したウェブサーバ８が録画可能容量を一時記憶し、データベースサーバ６にデータの検索を依頼し、データベースサーバ６が、録画履歴である番組放送局名と番組放送時刻とに基いてデータベース５の番組情報１１ｂを検索し、録画履歴に対応する番組名を特定した後、番組名のデータをウェブサーバ８に引き渡す。
【００４０】
番組名のデータを引き渡されたウェブサーバ８は、該ウェブサーバ８の関連情報送信手段を作動させ、録画履歴に代わるデータである番組名と前述のようにして一時記憶された録画可能容量とをデータベースサーバ６に代わって個人用端末３に送信する。
【００４１】
この実施形態では共用録画装置４やデータベースサーバ６とインターネット７との間の情報伝達を円滑化するためにウェブサーバ８を使用しており、このウェブサーバ８はデータベースサーバ６の通信機能を分担した装置として見做せるから、ウェブサーバ８に関連情報送信手段を設けることは「関連情報送信手段をデータベースサーバに設ける」とした特許請求の範囲の記載に矛盾するものではない。
【００４２】
そして、これらの情報を受信した個人用端末３が、液晶ディスプレイ等からなる表示手段１２に個人用録画装置２の録画可能容量と録画履歴に代わる番組名を表示する。
【００４３】
ここで、ユーザは、録画可能容量および録画済の番組名（録画履歴）の表示を確認し、個人用録画装置２の録画可能容量や個人用録画装置２に既に録画されている番組の重要度等に基いて、個人用録画装置２に対するデータの上書きの可否、あるいは、個人用録画装置２に代えて共用録画装置４を使用する等といったことを判断する。
【００４４】
そして、個人用録画装置２に番組を録画しようとする場合には、ユーザは個人用端末３の登録先選択手段を利用して録画スケジュールの登録先として個人用録画装置２を選択し、また、共用録画装置４に番組を録画しようとする場合には、登録先選択手段を利用して録画スケジュールの登録先として共用録画装置４を選択する。
【００４５】
このようにして録画可能容量および番組名の表示と登録先選択手段による選択操作が完了すると、個人用端末３の登録実行手段が作動し、個人用端末３から録画スケジュールの登録先である個人用録画装置２もしくはウェブサーバ８の内の何れか一方に番組予約データが送信される。
【００４６】
前述した通り、ウェブサーバ８は、共用録画装置４やデータベースサーバ６とインターネット７との間の情報伝達を円滑化するために配備されたものであり、このウェブサーバ８は共用録画装置４の通信機能を分担した装置として見做せるから、個人用端末３からウェブサーバ８に番組予約データを送信することは「個人用端末から共用録画装置に番組予約データを送信する」とした特許請求の範囲の記載に矛盾するものではない。
【００４７】
ここで、個人用録画装置２に番組予約データが送信された場合には、個人用録画装置２の記憶手段である不揮発性メモリに録画スケジュールが登録され、この個人用録画装置２が録画スケジュールに従って公知の録画予約機能により番組を録画する。また、個人用録画装置２の記憶手段である不揮発性メモリに録画スケジュールが登録される際に、この番組予約データに含まれる番組放送局名と番組放送時刻の情報が、個人用録画装置２の不揮発性メモリに録画履歴として保存される。
【００４８】
一方、ウェブサーバ８に番組予約データが送信された場合には、ウェブサーバ８が共用録画装置４の不揮発性メモリに録画スケジュールを登録し、共用録画装置４が当該録画スケジュールに従って公知の録画予約機能により番組を録画する。
【００４９】
そして、共用録画装置４に録画された番組をユーザが視聴する場合には、個人用録画装置２のダウンロード要求信号送信手段を作動させ、インターネット７を介してウェブサーバ８にダウンロード要求信号を送信する。
【００５０】
ウェブサーバ８は、個人用録画装置２からインターネット７を経由して入力されるダウンロード要求信号を検知してウェブサーバ８の録画内容送信手段を作動させ、共用録画装置４に録画されている録画内容を読み出し、インターネット７を経由して個人用録画装置２にダウンロードした後、共用録画装置４に録画されている録画内容を消去して共用録画装置４の記憶領域を開放する。
【００５１】
ウェブサーバ８は、共用録画装置４やデータベースサーバ６とインターネット７との間の情報伝達を円滑化するために配備されたものであり、このウェブサーバ８は共用録画装置４の通信機能を分担した装置として見做せるから、ウェブサーバ８に録画内容送信手段を設けることは「共用録画装置に録画内容送信手段を設ける」とした特許請求の範囲の記載に矛盾するものではない。
【００５２】
次に、録画予約システム１を構成する個人用録画装置２，個人用端末３，共用録画装置４，データベースサーバ６，ウェブサーバ８の構成例、ならびに、個人用端末３の設定操作検知手段，データ送信要求信号送信手段，登録先選択手段，登録操作禁止手段，登録実行手段、個人用録画装置２のデータ送信手段，ダウンロード要求信号送信手段、ウェブサーバ８の関連情報送信手段，録画内容送信手段として機能する各装置のＣＰＵの処理動作について実施例を挙げて具体的に説明する。
【実施例１】
【００５３】
図２は、携帯電話によって構成される個人用端末３の構成の概略を示したブロック図である。
【００５４】
ハードウェア上の構成に関しては従来の携帯電話と同様であり、個人用端末３は、演算処理用のＣＰＵ１３，ＣＰＵ１３の駆動制御プログラム等を格納したＲＯＭ１４，データの一時記憶に利用されるＲＡＭ１５，受信済みのメールその他のデータを記憶するための不揮発性メモリ１６等を備え、ＣＰＵ１３には、スピーカ１７，マイク１８，キースイッチ１９，液晶ディスプレイ等からなる表示手段１２，送受信回路２０等が入出力回路２１を介して接続されている。
【００５５】
個人用端末３のＣＰＵ１３は、個人用端末３における設定操作検知手段，データ送信要求信号送信手段，登録先選択手段，登録実行手段としても機能する。
【００５６】
図３は、ＤＶＤレコーダあるいはビデオデッキ等によって構成される個人用録画装置２の構成の概略を示したブロック図である。
【００５７】
個人用録画装置２の主要部は、ＤＶＤレコーダあるいはビデオデッキ等の機構部である録画再生ユニット２２によって構成され、この録画再生ユニット２２に放送受信用のチューナ２３や画像再生用のモニタ２４および音声再生用のスピーカ２５等の外部装置が接続されている。録画再生ユニット２２は、入出力回路２６を介して其の駆動制御手段であるＣＰＵ２７によって駆動制御されるようになっており、ＣＰＵ２７の駆動制御プログラムはＲＯＭ２８に格納されている。ＲＡＭ２９はデータの一時記憶等に利用されものである。また、個人用録画装置２の記憶手段である不揮発性メモリ３０には、インターネット７およびインターフェイス３１を介して個人用端末３から入力される番組予約データが録画スケジュールとして登録され、更に、番組放送局名や番組放送時刻等を含む録画履歴が不揮発性メモリ３０に保存されるようになっている。入出力回路２６に接続された操作パネル３２には幾つかのスイッチ類が配備され、個人用録画装置２からのダウンロード要求信号の出力は、操作パネル３２のダウンロードスイッチを操作することで行われる。
【００５８】
個人用録画装置２のＣＰＵ２７は、録画再生ユニット２２の駆動制御手段の他、個人用録画装置２におけるデータ送信手段，ダウンロード要求信号送信手段としても機能する。
【００５９】
図４は、ＤＶＤレコーダあるいはビデオデッキ等によって構成される共用録画装置４の構成の概略を示したブロック図であり、共用録画装置４のハードウェア上の構成については、録画再生ユニット３９に装填されるデータ記憶媒体の容量が大きいことを除き、基本的に、個人用録画装置２と同等である。
【００６０】
共用録画装置４はインターフェイス３７を介してウェブサーバ８やデータベースサーバ６に接続されている。共用録画装置４は専ら番組の録画のみに使用されるものであるから、モニタやスピーカ等との接続は必ずしも必要ではない。不揮発性メモリ３６には、インターフェイス３７を介してウェブサーバ８から入力される番組予約データが録画スケジュールとして登録される。
【００６１】
図５は、パーソナルコンピュータあるいはワークステーション等によって構成されるウェブサーバ８の構成の概略を示したブロック図である。
【００６２】
ウェブサーバ８は、演算処理用のＣＰＵ４１，ＣＰＵ４１の駆動制御プログラム等を格納したＲＯＭ４２，データの一時記憶に利用されるＲＡＭ４３，ハードディスク等からなる不揮発性メモリ４４，インターフェイス４９等を備え、ＣＰＵ４１には、ディスプレイ４５，キーボード４６，マウス４７等が入出力回路４８を介して接続されている。ウェブサーバ８はインターフェイス４９を介してインターネット７，共用録画装置４，データベースサーバ６に接続される。
【００６３】
ウェブサーバ８のＣＰＵ４１は、ウェブサーバ８の全体的な駆動制御手段として機能する他、関連情報送信手段，録画内容送信手段としても機能する。
【００６４】
図６は、パーソナルコンピュータあるいはワークステーション等によって構成されるデータベースサーバ６の構成の概略を示したブロック図であり、データベースサーバ６のハードウェア上の構成については、基本的に、ウェブサーバ８と同等である。
【００６５】
ハードディスク等によって構成されるデータベースサーバ６の不揮発性メモリ５３には、少なくとも、番組放送局名と番組放送時刻と番組名との対応関係を記憶したデータベース５が格納されている。
【００６６】
このデータベース５は、図１に示されるように、人物情報１１ａと番組情報１１ｂとからなり、人物情報１１ａには、人物ＩＤ，人物名称，番組ＩＤ，番組名，所属事務所を始めとする多数の情報が含まれ、また、番組情報１１ｂには、番組ＩＤ，番組名，放送局名，番組放送時刻を始めとする多数の情報が含まれている。このうち人物情報１１ａは、芸能プロダクション１０ａの端末からインターネット７，ウェブサーバ８を介してデータベースサーバ６における不揮発性メモリ５３のデータベース記憶領域に登録される情報であり、また、番組情報１１ｂは、番組放送局１０ｂの端末からインターネット７，ウェブサーバ８を介してデータベースサーバ６における不揮発性メモリ５３のデータベース記憶領域に登録される情報である。放送する番組の番組名や番組放送時刻に変更が生じた場合には、番組放送局１０ｂ側の操作によって遅滞なく番組情報１１ｂの内容が更新される。
【００６７】
この例では、芸能プロダクション１０ａや番組放送局１０ｂ側の処理操作の円滑化を図る必要上、人物情報１１ａと番組情報１１ｂとを分割して取り扱うようにしているが、これらの情報は一体であってもよいし、また、この例のように分割した場合であっても、番組ＩＤや番組名の情報をパラメータとして人物情報１１ａと番組情報１１ｂとを関連付けることで実質的に一体のデータとして取り扱うことができる。なお、こで言う人物名称や人物ＩＤとは役柄に関連する情報ではなく、役者個人に関連した情報である。
【００６８】
図７は個人用端末３の設定操作検知手段，データ送信要求信号送信手段，登録先選択手段，登録操作禁止手段，登録実行手段として機能するＣＰＵ１３によって実行される処理の概略を示したフローチャート、図８および図９はウェブサーバ８の関連情報送信手段，録画内容送信手段として機能するＣＰＵ４１によって実行される処理の概略を示したフローチャート、図１０および図１１はデータベースサーバ６のＣＰＵ５０によって実行される処理の概略を示したフローチャート、図１２は個人用録画装置２のデータ送信手段，ダウンロード要求信号送信手段として機能するＣＰＵ２７によって実行される処理の概略を示したフローチャートである。
【００６９】
次に、図７〜図１２を参照して、録画予約システム１を構成する個人用端末３，ウェブサーバ８，データベースサーバ６，個人用録画装置２，共用録画装置４の全体的な処理動作について具体的に説明する。
【００７０】
個人用端末３のＣＰＵ１３は、予約の対象となる番組候補を選ぶための検索条件がユーザの操作によってキースイッチ１９を介して入力ているか否かを検出するための判定処理と（ステップａ１）、ウェブサーバ８から送信される番組変更通知メールの着信の有無を検出するための判定処理（ステップａ１６）と、通話等に関わる通常の携帯電話の処理（ステップａ１８）を所定周期毎に繰り返し実行している。
【００７１】
ここで、ユーザが、予約の対象となる番組候補を選ぶための検索条件を入力すると、個人用端末３の設定操作検知手段として機能するＣＰＵ１３が、ステップａ１の判定処理で設定操作の開始を意味する検索条件の入力を検出し、個人用端末３のデータ送信要求信号送信手段として機能するＣＰＵ１３が、入力された検索条件と当該個人用端末３のＩＤとをインターネット７を経由してウェブサーバ８にデータ送信要求信号として送信し（ステップａ２）、ウェブサーバ８からの応答を待つ待機状態に入る（ステップａ３）。
【００７２】
予約の対象となる番組候補を選ぶための検索条件としては、単独で録画内容を特定できる番組名の他、人物名称，所属事務所，放送局名，番組放送時刻等の組み合わせ、つまり、データベース５に予め登録されている各種の情報の組み合わせを自由に利用することができる。
【００７３】
一方、ウェブサーバ８のＣＰＵ４１は、個人用端末３からの検索条件の入力の有無を検出するための判定処理と（ステップｂ１）、個人用端末３からの番組予約データの入力の有無を検出するための判定処理と（ステップｂ９）、個人用端末３からの予約結果の入力の有無を検出するための判定処理と（ステップｂ１１）、個人用録画装置２からのダウンロード要求信号の入力の有無を検出するための判定処理（ステップｂ１３）、更には、データベースサーバ６からの番組変更通知の入力の有無を検出するための判定処理（ステップｂ１６）を所定周期毎に繰り返し実行しており、個人用端末３から送信された検索条件と個人用端末３のＩＤはステップｂ１の判定処理でＣＰＵ４１によって検出される。
【００７４】
これらのデータを受信したＣＰＵ４１は、個人用端末３のＩＤを一時記憶して、データベースサーバ６に検索条件を転送した後（ステップｂ２）、データベースサーバ６からの応答を待つ待機状態に入る（ステップｂ３）。
【００７５】
一方、データベースサーバ６のＣＰＵ５０は、ウェブサーバ８からの検索条件の入力の有無を検出するための判定処理と（ステップｃ１）、ウェブサーバ８からの録画履歴の入力の有無を検出するための判定処理と（ステップｃ３）、ウェブサーバ８からの予約結果の入力の有無を検出するための判定処理と（ステップｃ５）、芸能プロダクション１０ａの端末からの人物情報１１ａの入力あるいは番組放送局１０ｂの端末からの番組情報１１ｂの入力の有無を検出するための判定処理（ステップｃ７）、更には、データベース５内の人物情報１１ａや番組情報１１ｂに関する内容の確認と内容変更の有無の判定に関わる処理（ステップｃ９，ステップｃ１０）を所定周期毎に繰り返し実行しており、ウェブサーバ８から送信された検索条件はステップｃ１の判定処理でＣＰＵ５０によって検出される。
【００７６】
ステップｃ１の判定処理で検索条件を受信したＣＰＵ５０は、データベース５内の人物情報１１ａや番組情報１１ｂを参照し、検索条件に合致する番組名を予約の対象となる番組候補として選択し、その番組名に対応する人物情報１１ａや番組情報１１ｂを検索結果としてウェブサーバ８に送信する（ステップｃ２）。この検索結果には各番組の録画に必要とされる記憶容量が含まれ、この記憶容量は、番組情報１１ｂに其の他の情報として記憶されている。
【００７７】
ウェブサーバ８のＣＰＵ４１はステップｂ３の判定処理で当該検索結果を検出して一時記憶し、対応するＩＤを有する個人用録画装置２、つまり、ステップｂ２の処理で一時記憶されたＩＤに対応する個人用端末３を使用しているユーザが所有する個人用録画装置２に対して、録画可能容量と録画履歴の転送を求めるデータ送信要求信号を個人用端末３に代わって送信し（ステップｂ４）、対応するＩＤを有する個人用録画装置２からの応答を待つ待機状態に入る（ステップｂ５）。
【００７８】
一方、個人用録画装置２のＣＰＵ２７は、ウェブサーバ８からのデータ送信要求信号の入力の有無を検出するための判定処理と（ステップｄ１）、個人用端末３からの番組予約データの入力の有無を検出するための判定処理と（ステップｄ３）、操作パネル３２を介してユーザ側の操作で行われる録画削除指令の入力の有無を検出するための判定処理と（ステップｄ５）、操作パネル３２に設けられたダウンロードスイッチの操作の有無を検出するための判定処理と（ステップｄ７）、更には、記憶手段である不揮発性メモリ３０に登録された録画スケジュールに基く公知の録画処理等（ステップｄ１０）を所定周期毎に繰り返し実行しており、ウェブサーバ８から送信されたデータ送信要求信号はステップｄ１の判定処理でＣＰＵ２７によって検出される。
【００７９】
ステップｄ１の判定処理でデータ送信要求信号の受信が確認されると、個人用録画装置２のデータ送信手段として機能するＣＰＵ２７は、個人用録画装置２の記憶手段である不揮発性メモリ３０にアクセスして個人用録画装置２の録画履歴を読み込むと共に、録画スケジュールの実行や録画の削除等に応じて不揮発性メモリ３０に逐次更新して記憶される録画再生ユニット２２の録画可能容量の現在値を読み込み、これらのデータをウェブサーバ８に送信する（ステップｄ２）。この録画履歴には番組放送局名と番組放送時刻とが含まれている。
【００８０】
ウェブサーバ８のＣＰＵ４１は個人用録画装置２から送信された録画履歴と録画可能容量をステップｂ５の判定処理で検出し、この録画可能容量を一時記憶して、データベースサーバ６に録画履歴のデータを転送した後（ステップｂ６）、データベースサーバ６からの応答を待つ待機状態に入る（ステップｂ７）。
【００８１】
データベースサーバ６のＣＰＵ５０は、ステップｃ３の判定処理でウェブサーバ８からの録画履歴の入力を検出し、この録画履歴に合致する番組名をデータベース５の過去のデータを参照して特定し、この番組名と当該番組名に対応する人物情報１１ａや番組情報１１ｂを番組の情報としてウェブサーバ８に送信する（ステップｃ４）。
【００８２】
ウェブサーバ８の関連情報送信手段として機能するＣＰＵ４１はステップｂ７の判定処理でデータベースサーバ６からの情報を受信し、対応するＩＤを有する個人用端末３、つまり、ステップｂ２の処理で一時記憶されたＩＤに対応する個人用端末３に対して、ステップｂ４の処理で一時記憶された予約対象候補の検索結果と、ステップｂ６の処理で一時記憶された録画可能容量およびステップｂ７の処理で受信した番組の情報をインターネット７を経由して送信する（ステップｂ８）。
【００８３】
個人用端末３のＣＰＵ１３は、ステップａ３の判定処理でウェブサーバ８からの検索結果と番組の情報および録画可能容量を受信し、これらのデータを個人用端末３の表示手段１２に表示する処理を開始し（ステップａ４）、表示処理が完了するまで待機する。
【００８４】
ここで表示される予約対象候補の検索結果には、検索条件に合致する番組名に加え、対応する人物情報１１ａや番組情報１１ｂに含まれる各種の情報、例えば、人物名称，所属事務所，放送局名，番組放送時刻等を添付することが可能である。また、ここで表示される録画可能容量は、当該ユーザの自宅に設置された個人用録画装置２の録画可能容量であり、ここで表示される番組の情報は当該ユーザの自宅に設置された個人用録画装置２に記憶されている録画履歴の内容を容易に理解可能な形態に変換したものであって、少なくとも番組名が含まれている。
【００８５】
そして、表示処理が完了したことが登録操作禁止手段として機能するＣＰＵ１３によって検出されると（ステップａ５）、個人用端末３からの番組予約データの送信が許容され得る状態となり、ＣＰＵ１３は、表示手段１２に表示された検索結果から何れかの番組が予約の対象として選択されるか、あるいは、録画予約に関する処理がキャンセルされるのを待つ待機状態に入る（ステップａ６，ステップａ７）。前述した通り、予約対象の候補となる番組の検索結果は、番組名と共に人物情報１１ａや番組情報１１ｂの各種データ、更には、番組の録画に必要とされる記憶容量等が併せて表示されるので、ユーザは様々な条件を考慮して録画を予約する番組を選択することができる。
【００８６】
そして、ユーザが個人用端末３のキースイッチ１９を操作して検索結果の中から予約の対象とする番組を選択すると、ＣＰＵ１３は、ステップａ６の判定処理で当該選択操作を検出し、予約の対象とする番組を特定した後（ステップａ８）、選択された番組を録画するために必要とされる記憶容量と当該ユーザの個人用録画装置２の録画可能容量との大小関係を比較して、当該ユーザの個人用録画装置２に選択された番組を全て録画できるか否かを判定する（ステップａ９）。
【００８７】
当該ユーザの個人用録画装置２に番組を全て録画できないと判定された場合、つまり、ステップａ９の判定結果が真となった場合には、ＣＰＵ１３は、今回選択した予約番組を当該ユーザの個人用録画装置２に上書きして録画するか当該予約番組の録画を共用録画装置４に依託するかを選択する旨のメッセージを表示手段１２に表示し（ステップａ１２）、上書きによる録画もしくは依託による録画の何れか一方がキースイッチ１９からの選択指令によって指定されるまで待機する（ステップａ１３，ステップａ１４）。
【００８８】
ここで、上書きによる録画が指定された場合には、登録先選択手段として機能するＣＰＵ１３は、録画スケジュールの登録先として個人用録画装置２を選択し、登録実行手段として機能するＣＰＵ１３が、このユーザのＩＤに対応する個人用録画装置２に対してインターネット７を介して番組予約データを送信する（ステップａ１０）。一方、録画スケジュールの登録先として共用録画装置４が指定された場合には、登録先選択手段として機能するＣＰＵ１３は、録画スケジュールの登録先として共用録画装置４を選択し、登録実行手段として機能するＣＰＵ１３が、このユーザのＩＤと番組予約データをインターネット７を介してウェブサーバ８に送信する（ステップａ１５）。これらの番組予約データには少なくとも番組放送局名と番組放送時刻の情報が含まれている。
【００８９】
また、ユーザの個人用録画装置２に番組を全て録画できると判定された場合、つまり、ステップａ９の判定結果が偽となった場合には、自動的に、このユーザのＩＤに対応する個人用録画装置２が録画スケジュールの登録先として選択されることになる（ステップａ１０）。
【００９０】
録画スケジュールの登録先として個人用録画装置２が選択された場合あるいは録画スケジュールの登録先として共用録画装置４が選択された場合の何れであっても、ユーザのＩＤと番組予約データが予約結果としてウェブサーバ８に送信される（ステップａ１１）。
【００９１】
そして、ステップａ１０の処理で個人用端末３から個人用録画装置２に対して番組予約データが送信された場合には、個人用録画装置２のＣＰＵ２７がステップｄ３の判定処理で番組予約データの入力を検出し、この番組予約データが個人用録画装置２の記憶手段である不揮発性メモリ３０に録画スケジュールとして登録され（ステップｄ４）、この録画スケジュールに基いてステップｄ１０の処理で個人用録画装置２が従来と同様に公知の録画処理を実行することになる。
【００９２】
これに対し、ステップａ１５の処理で個人用端末３からウェブサーバ８に対して番組予約データが送信された場合には、ウェブサーバ８のＣＰＵ４１がステップｂ９の判定処理で番組予約データとＩＤの入力を検出し、この番組予約データとＩＤが共用録画装置４の不揮発性メモリ３６に録画スケジュールとして登録され（ステップｂ１０）、共用録画装置４が当該録画スケジュールに従って録画処理を実行することになる。
【００９３】
そして、ステップａ１１の処理でウェブサーバ８から送信されたＩＤと予約結果はステップｂ１１の判定処理においてウェブサーバ８のＣＰＵ４１に検出され、ＣＰＵ４１がこれらのデータをデータベースサーバ６に転送し（ステップｂ１２）、データベースサーバ６のＣＰＵ５０がステップｃ５の判定処理で当該データを受信し、これらのＩＤと予約結果をデータベース５に予約結果として登録する（ステップｃ６）。
【００９４】
また、芸能プロダクション１０ａの端末からの人物情報１１ａの入力あるいは番組放送局１０ｂの端末からの番組情報１１ｂの入力があった場合には、データベースサーバ６のＣＰＵ５０がステップｃ７の判定処理で新規情報の入力を検知し、データベース５内の人物情報１１ａや番組情報１１ｂの再構築処理を実行する（ステップｃ８）。
【００９５】
そして、データベース５内の人物情報１１ａや番組情報１１ｂに関する内容の確認によって内容変更が検出されると（ステップｃ９，ステップｃ１０）、ＣＰＵ５０は、データベース５に登録されている予約結果を参照して、変更の検出された情報を含む予約結果に対応するＩＤを検出し、変更された人物情報１１ａおよび番組情報１１ｂとＩＤを番組変更通知としてウェブサーバ８に送信する（ステップｃ１１）。
【００９６】
すると、ウェブサーバ８のＣＰＵ４１がステップｂ１６の判定処理で番組変更通知を受信し、対応するＩＤを有する個人用端末３、つまり、人物情報１１ａや番組情報１１ｂに変更の生じた番組を録画スケジュールとして個人用録画装置２もしくは共用録画装置４に登録しているユーザの個人用端末３に対して新規の人物情報１１ａや番組情報１１ｂを番組変更通知メールとして送信する（ステップｂ１７）。
【００９７】
この電子メールは個人用端末３のＣＰＵ１３によってステップａ１６の判定処理で検出され、これを検出したＣＰＵ１３が表示手段１２にメールの内容を表示して（ステップａ１７）、ユーザに録画スケジュールの再確認を促す。
【００９８】
従って、ユーザは、必要に応じ、前記と同様にしてステップａ１以降の処理を再実行することにより、番組予約データの再入力処理や録画スケジュールの再登録処理を実行することが可能である。
【００９９】
また、共用録画装置４に録画された番組を視聴する場合、ユーザは、個人用録画装置２の操作パネル３２に配備されたダウンロードスイッチを操作する。
【０１００】
個人用録画装置２のＣＰＵ２７はステップｄ７の判定処理でダウンロードスイッチの操作検出し、ダウンロード要求信号送信手段として機能するＣＰＵ２７が、この個人用録画装置２のＩＤとダウンロード要求信号をインターネット７を介してウェブサーバ８に送信し（ステップｄ８）、ウェブサーバ８の応答を待つ待機状態に入る（ステップｄ９）。
【０１０１】
ウェブサーバ８のＣＰＵ４１はステップｂ１３の判定処理で個人用録画装置２からのＩＤとダウンロード要求信号を受信し、録画内容送信手段として機能するＣＰＵ４１が、当該ＩＤに対応して記憶されている録画内容を共用録画装置４から読み出して、対応するＩＤを有する個人用録画装置２にインターネット７を経由して転送し、ダウンロードさせる（ステップｂ１４）。この録画内容は個人用録画装置２側のステップｄ９の処理で個人用録画装置２に読み込まれ、録画再生ユニット２２のデータ記憶媒体に記憶される。
【０１０２】
そして、ダウンロードが完了すると、ウェブサーバ８のＣＰＵ４１は共用録画装置４に録画削除指令を送信し（ステップｂ１５）、これを受信した共用録画装置４が、録画再生ユニット３９内の対応する記憶領域のデータを削除して当該記憶領域を開放する。
【０１０３】
以上、一実施例として、携帯電話等からなる個人用端末３とユーザの自宅に設置された個人用録画装置２、および、データ配信の事業主等の所有する共用録画装置４とウェブサーバ８ならびにデータベース５を備えたデータベースサーバ６によって構成される録画予約システム１の例について述べたが、ウェブサーバ８とデータベースサーバ６の機能の一体化は容易であり、また、共用録画装置４にウェブサーバ８やデータベースサーバ６の機能を持たせるといったことも現在の技術水準から十分に可能であって、録画予約システム１に必要とされる各種の機能をどの装置にどのように割り振るかといったことは設計上の問題に過ぎない。
【０１０４】
また、携帯電話等からなる個人用端末３に代えて遠隔地に設置されたパーソナルコンピュータを一時的な個人用端末として利用する場合には、個人用端末３のＣＰＵ１３が備える設定操作検知手段，データ送信要求信号送信手段，登録先選択手段，登録実行手段の各機能を実現するためのプログラムをウェブサーバ８に記憶させ、各地に点在するパーソナルコンピュータからウェブブラウザの機能を利用してウェブサーバ８にアクセスし、ウェブサーバ８の機能を遠隔操作して前述した実施例の個人用端末３と実質的に同等の機能を達成させるといったことが可能である。
【産業上の利用可能性】
【０１０５】
本発明の技術思想は、番組の録画予約の他、ラジオ放送等の録音予約方法あるいは録音予約システムとしても転用することが可能である。
【図面の簡単な説明】
【０１０６】
【図１】本発明の録画予約方法を実施する際の録画予約システムの一例を示した概念図である。
【図２】携帯電話からなる個人用端末の構成の概略を示したブロック図である。
【図３】個人用録画装置の構成の概略を示したブロック図である。
【図４】共用録画装置の構成の概略を示したブロック図である。
【図５】ウェブサーバの構成の概略を示したブロック図である。
【図６】データベースサーバの構成の概略を示したブロック図である。
【図７】個人用端末のＣＰＵによって実行される処理の概略を示したフローチャートである。
【図８】ウェブサーバのＣＰＵによって実行される処理の概略を示したフローチャートである。
【図９】ウェブサーバのＣＰＵによって実行される処理の概略を示したフローチャートの続きである。
【図１０】データベースサーバのＣＰＵによって実行される処理の概略を示したフローチャートである。
【図１１】データベースサーバのＣＰＵによって実行される処理の概略を示したフローチャートの続きである。
【図１２】個人用録画装置のＣＰＵによって実行される処理の概略を示したフローチャートである。
【符号の説明】
【０１０７】
１  録画予約システム
２  個人用録画装置（ＤＶＤレコーダあるいはビデオデッキ等）
３  個人用端末（携帯電話）
４  共用録画装置（ＤＶＤレコーダあるいはビデオデッキ等）
５  データベース
６  データベースサーバ
７  インターネット
８  ウェブサーバ
９  パーソナルコンピュータ
１０ａ  芸能プロダクション
１０ｂ  番組放送局
１１ａ  人物情報
１１ｂ  番組情報
１２  表示手段（液晶ディスプレイ等）
１３  ＣＰＵ（設定操作検知手段，データ送信要求信号送信手段，登録先選択手段，登録操作禁止手段，登録実行手段）
１４  ＲＯＭ
１５  ＲＡＭ
１６  不揮発性メモリ
１７  スピーカ
１８  マイク
１９  キースイッチ
２０  送受信回路
２１  入出力回路
２２  録画再生ユニット
２３  チューナ
２４  モニタ
２５  スピーカ
２６  入出力回路
２７  ＣＰＵ（データ送信手段，ダウンロード要求信号送信手段）
２８  ＲＯＭ
２９  ＲＡＭ
３０  不揮発性メモリ（個人用録画装置の記憶手段）
３１  インターフェイス
３２  操作パネル（ダウンロードスイッチ）
３３  ＣＰＵ
３４  ＲＯＭ
３５  ＲＡＭ
３６  不揮発性メモリ
３７  インターフェイス
３８  入出力回路
３９  録画再生ユニット
４０  チューナ
４１  ＣＰＵ（関連情報送信手段，録画内容送信手段）
４２  ＲＯＭ
４３  ＲＡＭ
４４  不揮発性メモリ
４５  ディスプレイ
４６  キーボード
４７  マウス
４８  入出力回路
４９  インターフェイス
５０  ＣＰＵ
５１  ＲＯＭ
５２  ＲＡＭ
５３  不揮発性メモリ
５４  ディスプレイ
５５  キーボード
５６  マウス
５７  入出力回路
５８  インターフェイス
【図１】
2005117245.tif 000003
【図２】
2005117245.tif 000004
【図３】
2005117245.tif 000005
【図４】
2005117245.tif 000006
【図５】
2005117245.tif 000007
【図６】
2005117245.tif 000008
【図７】
2005117245.tif 000009
【図８】
2005117245.tif 000010
【図９】
2005117245.tif 000011
【図１０】
2005117245.tif 000012
【図１１】
2005117245.tif 000013
【図１２】
2005117245.tif 000014